(57)【要約】【課題】  サービスエリア内の複数の放送装置の出力の放送電波を最適化してＳＦＮによる放送網を構築する。【解決手段】  各放送装置１２０〜１２ＮはネットワークＮＥＴを通じてデジタル放送信号の配信を受け、互いに同一周波数の無線波により管轄エリアに向けて送出する。ここで、エリア内に複数の放送装置から送出される信号が入ると、一定値以上のずれが生じた場合に混信障害となって受信不能となる。そこで、前記エリア内に監視装置１３を設けて複数の放送装置からの無線波を受信して受信状態を監視し、受信した無線波の送出元の放送装置に対し、その受信状態が適正となるように無線波の出力電力、出力タイミング等を制御する。【選択図】      図１
2008072527.tif 000002
【特許請求の範囲】
【請求項１】
有線または無線ネットワークによって配信されるデジタル放送信号を受けて、デジタル放送信号を無線波により受信者に向けて同一周波数で送出する複数の放送装置で放送網が構築されるデジタル放送システムであって、
前記複数の放送装置それぞれから送出される無線波を任意の箇所で受信して受信状態を監視する監視手段と、
前記監視手段で得られる受信状態に基づいて、前記任意の放送装置の無線波の出力を制御する出力制御手段と
を具備することを特徴とするデジタル放送システム。
【請求項２】
前記複数の放送装置は、前記受信状態に基づいて出力電力を調整する出力電力調整手段を備えることを特徴とする請求項１記載のデジタル放送システム。
【請求項３】
前記複数の放送装置は、前記受信状態に基づいて出力タイミングを調整する出力タイミング調整手段を備えることを特徴とする請求項１記載のデジタル放送システム。
【請求項４】
前記複数の放送装置は、前記無線波のキャリア位相を互いに異なるパターンで変動させ、前記監視手段は前記無線波の受信信号についてキャリア変動パターンの同期検波を行って送出元を識別し、その送信元へ前記受信状態を通知することを特徴とする請求項１記載のデジタル放送システム。
【請求項５】
前記複数の放送装置は、前記無線波に互いに異なる識別標識を付加して送出し、前記監視手段は前記無線波の受信信号から識別標識を判別して送出元を識別し、その送信元へ前記受信状態を通知することを特徴とする請求項１記載のデジタル放送システム。
【請求項６】
有線または無線ネットワークによって配信されるデジタル放送信号を受けて、デジタル放送信号を無線波により受信者に向けて同一周波数で送出する複数の放送装置で放送網が構築されるデジタル放送システムに用いられる放送装置であって、
任意の箇所で前記デジタル放送信号の無線波を監視して得られる受信状態に基づいてその受信状態が適正となるように前記無線波の出力を調整する出力調整手段と、
前記無線波の送信元を識別させるために、前記無線波に予め決められた処理を施す識別用処理手段と
を備えることを特徴とするデジタル放送システムの放送装置。
【請求項７】
前記識別用処理手段は、前記無線波のキャリア位相を予め決められたパターンで変動させて送出することを特徴とする請求項６記載の放送装置。
【請求項８】
前記識別用処理手段は、前記無線波に予め決められた識別標識を付加して送出することを特徴とする請求項６記載の放送装置。
【請求項９】
有線または無線ネットワークによって配信されるデジタル放送信号を受けて、デジタル放送信号を無線波により受信者に向けて同一周波数で送出する複数の放送装置で放送網が構築されるデジタル放送システムに用いられ、前記複数の放送装置からの無線波を受信して受信状態を監視する監視装置であって、
受信した無線波から送出元を識別する識別手段と、
前記識別手段で識別された送出元の放送装置に前記受信状態を通知する通知手段と
を具備することを特徴とするデジタル放送システムの監視装置。
【請求項１０】
前記識別手段は、予め決められたキャリア変動パターンで送出される無線波を同期検波して当該パターンから送信元を識別することを特徴とする請求項９記載の監視装置。
【請求項１１】
前記識別手段は、予め決められた識別標識を付加して送出される無線波の受信信号から識別標識を判別して送信元を識別することを特徴とする請求項９記載の監視装置。
【発明の詳細な説明】
【技術分野】
【０００１】
本発明は、例えば、地上波デジタルテレビジョン放送を始めとするデジタル放送システムに関する。
【背景技術】
【０００２】
現在運用されている地上波デジタルテレビジョン放送システムでは、現在、ＴＳ・ＴＴＬ伝送ネットワーク、ＩＦ・ＴＴＬネットワーク、放送波受信・再送信ネットワークによって所要のサービスエリアをカバーしている。ここで、アナログ放送をデジタル放送に切り替えるに当たり、周波数の有効利用を図るため、ＳＦＮ（Single Frequency Network：単一周波数ネットワーク）の採用が図られていた。ところが、実際には、送信所及び中継所間距離を十分に近づけることが困難で、両者の共通する受信エリアで２つの信号のずれがガードインターバルを越えてしまい、「受信エリア内にて２つの信号のずれをガードインターバル以内とする」というＳＦＮ（Single Frequency Network：単一周波数ネットワーク）の一つの条件を満たすことができない。また、中継局において、受信アンテナと送信アンテナとの間のアイソレーションを確保することが困難なケースが多く、これもＳＦＮ実現の障害ともなっている。
【０００３】
以上のことから、当初計画されたＳＦＮ（Single Frequency Network：単一周波数ネットワーク）による放送網の構築が技術的に困難な状況にあり、ＭＦＮ（Multi-Frequency Network：マルチ周波数ネットワーク）で主要なサービスエリアをカバーしている。このため、周波数の有効利用が損なわれ、アナログ放送をデジタル放送に切り替える効果が半減している。また、ＳＦＮを組んだとき、受信信号はどの放送局から送信した信号かを識別することができないため、サービスエリア内の放送電波の最適化ができない、という問題もかかえている。
【０００４】
尚、サービスエリア内の受信レベルを一定に維持する技術として、特許文献１にＯＦＤＭ変調されたテレビジョン信号をステップアッテネータでレベル調整し、電力増幅器で電力増幅して送信アンテナから送出するデジタルテレビ放送装置において、電波強度測定器によって送信アンテナから送出される送信信号の受信レベルを測定し、その測定結果に基づいてステップアッテネータにより変調信号のレベルを調整し、送出される送信信号の出力を一定に制御することが記載されている。
【特許文献１】特開２０００−３２４３６１公報
【発明の開示】
【発明が解決しようとする課題】
【０００５】
以上述べたように、従来のデジタル放送システムでは、中継伝送においてＳＦＮによる放送網の構築が困難であり、また、ＳＦＮを組んだとき、受信信号はどの放送局から送信した信号かを識別することができないため、サービスエリア内の放送電波の最適化ができない、という問題もかかえている。
【０００６】
本発明は上記の課題を解決すべく、サービスエリア内の複数の放送装置の出力の放送電波を最適化してＳＦＮによる放送網を構築することのできるデジタル放送システムと放送装置及び監視装置を提供することを目的とする。
【課題を解決するための手段】
【０００７】
上記問題を解決するために、本発明に係るデジタル放送システムは、以下の構成によることを特徴とする。
【０００８】
（１）有線または無線ネットワークによって配信されるデジタル放送信号を受けて、デジタル放送信号を無線波により受信者に向けて同一周波数で送出する複数の放送装置で放送網が構築されるデジタル放送システムにおいて、前記サービスエリア内に配置され、前記複数の放送装置それぞれから送出される無線波を任意の箇所で受信して受信状態を監視する監視手段と、前記監視手段で得られる受信状態に基づいて、前記任意の放送装置の無線波の出力を制御する出力制御手段とを具備することを特徴とする。
【０００９】
（２）（１）の構成において、前記複数の放送装置は、前記受信状態に基づいて出力電力を調整する出力電力調整手段を備えることを特徴とする。
【００１０】
（３）（１）の構成において、前記複数の放送装置は、前記受信状態に基づいて出力タイミングを調整する出力タイミング調整手段を備えることを特徴とする。
【００１１】
（４）（１）の構成において、前記複数の放送装置は、前記無線波のキャリア位相を互いに異なるパターンで変動させ、前記監視手段は前記無線波の受信信号についてキャリア変動パターンの同期検波を行って送出元を識別し、その送信元へ前記受信状態を通知することを特徴とする。
【００１２】
（５）（１）の構成において、前記複数の放送装置は、前記無線波に互いに異なる識別標識を付加して送出し、前記監視手段は前記無線波の受信信号から識別標識を判別して送出元を識別し、その送信元へ前記受信状態を通知することを特徴とする。
【００１３】
また、本発明に係る放送装置は、以下の構成によることを特徴とする。
【００１４】
（６）有線または無線ネットワークによって配信されるデジタル放送信号を受けて、デジタル放送信号を無線波により受信者に向けて同一周波数で送出する複数の放送装置で放送網が構築されるデジタル放送システムに用いられる放送装置であって、任意の箇所で前記デジタル放送信号の無線波を監視して得られる受信状態をに基づいてその受信状態が適正となるように前記無線波の出力を調整する出力調整手段と、前記無線波の送信元を識別させるために、前記無線波に予め決められた処理を施す識別用処理手段とを備えることを特徴とする。
【００１５】
（７）（６）の構成において、前記識別用処理手段は、前記無線波のキャリア位相を予め決められたパターンで変動させて送出することを特徴とする。
【００１６】
（８）（６）の構成において、前記識別用処理手段は、前記無線波に予め決められた識別標識を付加して送出することを特徴とする。
【００１７】
また、本発明に係る監視装置は、以下の構成によることを特徴とする。
【００１８】
（９）有線または無線ネットワークによって配信されるデジタル放送信号を受けて、デジタル放送信号を無線波により受信者に向けて同一周波数で送出する複数の放送装置で放送網が構築されるデジタル放送システムに用いられ、前記複数の放送装置からの無線波を受信して受信状態を監視する監視装置であって、受信した無線波から送出元を識別する識別手段と、前記識別手段で識別された送出元の放送装置に前記受信状態を通知する通知手段とを具備することを特徴とする。
【００１９】
（１０）（９）の構成において、前記識別手段は、予め決められたキャリア変動パターンで送出される無線波を同期検波して当該パターンから送信元を識別することを特徴とする。
【００２０】
（１１）（９）の構成において、前記識別手段は、予め決められた識別標識を付加して送出される無線波の受信信号から識別標識を判別して送信元を識別することを特徴とする。
【００２１】
すなわち、本発明では、各放送装置は有線または無線ネットワークを通じてデジタル放送信号の配信を受け、デジタル放送信号を無線波により受信者に向けて同一周波数で送出する。ここで、複数の放送装置から送出される信号に一定値以上のずれが生じた場合に混信障害となって受信不能となる。そこで、監視装置を設けて複数の放送装置からの無線波を受信して受信状態を監視し、受信した無線波の送出元の放送装置に対し、その受信状態が適正となるように無線波の出力電力、出力タイミング等を制御する。
【００２２】
監視装置が受信信号の送出元を識別するための手法として、ここでは、放送装置において、無線波のキャリア位相を互いに異なるパターンで変動させておく。あるいは無線波に互いに異なる識別標識を付加して送出する。監視装置側は、無線波の受信信号についてキャリア変動パターンの同期検波を行ってそのパターンから送出元を識別する、あるいは無線波の受信信号から識別標識を判別して送出元を識別する。
【発明の効果】
【００２３】
したがって本発明によれば、サービスエリア内の複数の放送装置の出力の放送電波を最適化してＳＦＮによる放送網を構築することのできるデジタル放送システムと放送装置及び監視装置を提供することができる。
【発明を実施するための最良の形態】
【００２４】
以下、図面を参照して本発明の実施の形態を詳細に説明する。
【００２５】
図１は本発明に係るデジタル放送システムの一実施形態を示すブロック図である。図１において、スタジオ１１では、オンエアするデジタル放送ＴＳをＩＰに変換して、光ファイバ回線、無線ＬＡＮ、ＩＰ（インターネット・プロトコル）網等による有線・無線ネットワーク（既設のＴＳ・ＴＴＬを含むが、以下の説明では、例としてＩＰネットワークを利用するものとする）ＮＥＴを通じて、親局となる放送装置（以下、親局放送装置と称する）１２０に配信すると共に、当該親局放送装置１２０の管轄するサービスエリア内に配置されるＮ個の放送装置（以下、親局と区別するため、子局放送装置と称する）１２１〜１２Ｎにも配信する。
【００２６】
放送装置１２０〜１２Ｎは、いずれも同構成であり、図２に示すように構成される。図２において、ネットワーク配信されたＩＰデジタル放送信号はＩＰ−ＴＳ変換器２１に供給されてＴＳに変換され、遅延器２２によって所定時間遅延された後、ＯＦＤＭ変調器２３でＯＦＤＭ変調されて、図１に示す送信アンテナＡ０〜ＡＮから管轄のサービスエリアに向けて送出される。ここで、遅延器２２の遅延時間は遅延時間制御器２４によって制御される。また、ＯＦＤＭ変調器２３のキャリア位相・振幅（信号レベル）はキャリア制御器２５によって制御される。
【００２７】
上記親局放送装置１２０から出力されるデジタル放送信号は、親局送信所の送信アンテナＡ０から管轄サービスエリア全体に大電力で送信する。これに対し、そのエリア内に配置される子局放送装置１２１〜１２Ｎは、必要十分な電力で、例えば親局ではカバーしきれないエリアに向けて送信する。放送装置１２０〜１２Ｎそれぞれのサービスエリア（主に境界部分）には、監視装置（図では１個のみ示す）１３が配置される。
【００２８】
この監視装置１３は、遅延時間監視部ＴＷとキャリア監視部ＣＷを備える。遅延時間監視部は、図３（ａ）に示すように、受信アンテナで受けた受信信号を遅延プロファイル測定器ＴＷ１に入力して、放送装置それぞれの遅延時間に関する遅延プロファイルを測定し、その測定結果をＩＰ送出器ＴＷ２でＩＰに変換し、上記ネットワークＮＥＴを通じて制御装置１４へ通知する。また、キャリア監視部ＣＷは、図３（ｂ）に示すように、受信アンテナで受けた受信信号を遅延プロファイル測定器ＣＷ１に入力して、放送装置それぞれの信号レベルに関する遅延プロファイルを測定し、その測定結果をＩＰ送出器ＣＷ２でＩＰに変換し、上記ネットワークＮＥＴを通じて制御装置１４へ通知する。尚、遅延時間監視部ＴＷとキャリア監視部ＣＷとの構成は類似しているため、同じ機能は共用できる。
【００２９】
放送装置１２０〜１２Ｎでは、制御装置１４の図４に示す遅延時間制御処理（ＴＣ）、図５に示すキャリア制御処理（ＣＣ）に従い、上記監視装置１３からの遅延プロファイルに基づいて遅延器２２の遅延時間の制御及びＯＦＤＭ変調器２３のキャリア位相の制御を行う。また、システム全体の統括的な遅延及び出力電力（出力信号レベル）制御は、上記ネットワークＮＥＴに接続される制御装置１４によって行われる。
【００３０】
上記構成において、以下にＳＦＮを実現するための処理内容について説明する。尚、以下の説明において、監視装置の装置番号をｑ（最大値Ｑ）、放送装置の装置番号をｐ（最大値Ｐ）とする。
【００３１】
まず、監視装置１３において、遅延時間監視部ＴＷの入力信号は、ＯＦＤＭ受信信号である。ＯＦＤＭ受信信号は、遅延プロファイル測定器ＴＷ１において、検出したい放送装置の遅延時間を測定し、ＩＰ送出（ＴＷ２）する。同様に、キャリア監視部の入力信号もＯＦＤＭ受信信号である。ＯＦＤＭ受信信号は、遅延プロファイル測定器ＣＷ１において、検出したい放送装置の受信レベルの比を測定し、ＩＰ送出（ＣＷ２）する。
【００３２】
ここで、上記遅延プロファイル測定器ＴＷ１，ＣＷ１は、ＯＦＤＭ受信信号を周波数変換してＯＦＤＭ復調を行い、周波数軸のＯＦＤＭ信号を得て、周波数軸上のＯＦＤＭ信号に配置されているＳＰ（スキャッタード・パイロット）信号を用いて、受信信号の周波数軸の伝送路特性を求める。受信信号の伝送路特性をＩＤＦＴ（逆離散フーリエ変換）することにより、時間軸の伝送路特性を求める。これが、遅延プロファイルである。遅延プロファイルは、例えば図６に示すようになる。遅延プロファイル上には、図６（ａ）に示すように、各放送装置から出力された信号がマルチパスのように表現されている。この遅延プロファイルを、後述する遅延時間制御（ＴＣ）にて同期検波する。この同期検波とは、遅延時間制御装置より伝えられたキャリア周波数偏差にて乗算し累算することを指す。同期検波により、図６（ｂ）に示すように、同期した信号成分のみが遅延プロファイル上に残る。そこで、遅延プロファイルに残った信号から監視装置における親局からの主波に対する子局からの無線波の遅延時間を検出し、遅延プロファイルに残った信号の信号レベルとその他の信号レベルとから、監視装置における受信レベルの比を検出する。
【００３３】
制御装置１４は、サービスエリア内の放送装置に番号（max＝Ｐ：変数ｐ）を付して管理し、サービスエリア内の監視装置に番号（max＝Ｑ：変数ｑ）を付して管理して、図４に示す遅延時間制御処理（ＴＣ）、図５に示すキャリア制御処理（ＣＣ）を実行する。遅延時間制御処理（ＴＣ）の入力は、遅延時間監視部ＴＷで得られる遅延時間であり、その出力は、放送装置の遅延制御器２４を制御する。また、キャリア制御処理（ＣＣ）の入力は、キャリア監視部（ＣＷ）で得られる信号レベル比であり、その出力は放送装置のキャリア制御器２５を制御する。
【００３４】
図４に示す遅延時間制御処理（ＴＣ）の処理手順を説明する。まず、監視装置１３の番号（ｑ）を初期化する（ｑ＝１）（ステップＴＣ１）。次に、初期化・インクリメントにおいて、監視装置１３に制御開始を指示する（ステップＴＣ２）。一方で、監視対象とする放送装置１２０〜１２Ｎの番号（ｐ）を初期化する（ｐ＝１）（ステップＴＣ３）。次に、初期化・インクリメントにおいて、放送装置ｐに制御開始を指示する（ステップＴＣ４）。
【００３５】
指示を受けた放送装置ｐは、キャリアの位相を指示パターンあるいは予め決められたパターンで回転（周波数偏差にてキャリア周波数をずらす）させる（ＴＣ５）。これにより、監視装置１３では、同期検波によりキャリア周波数の変動パターンを抽出し、この変動パターンを持つ受信信号について遅延プロファイルを測定し、遅延時間を測定し（ステップＴＣ６）、その測定結果を制御装置１４へ通知する（ステップＳ７）。
【００３６】
制御装置１４では、放送装置の番号ｐが最大値Ｐとなったか否かを判定し（ステップＳ８）、最大値Ｐになるまで上記ステップＴＣ４〜ＴＣ７の処理を繰り返し実行する。続いて、制御装置１４では、監視装置の番号ｑが最大値Ｑとなったか否かを判定し（ステップＴＣ９）、最大値Ｑになるまで上記ステップＴＣ２〜ＴＣ８の処理を繰り返し実行する。以上の処理によって求められた遅延時間を対応する放送装置に通知し、遅延時間制御器２４を通じて遅延器２２の遅延時間を調整する（ステップＴＣ１０）。以上で一連の遅延時間制御処理が終了する。
【００３７】
図４に示す遅延時間制御処理（ＴＣ）の処理手順を説明する。まず、監視装置１３の番号（ｑ）を初期化する（ｑ＝１）（ステップＴＣ１）。次に、初期化・インクリメントにおいて、監視装置１３に遅延時間制御開始を指示する（ステップＴＣ２）。一方で、監視対象とする放送装置１２０〜１２Ｎの番号（ｐ）を初期化する（ｐ＝１）（ステップＴＣ３）。次に、初期化・インクリメントにおいて、放送装置ｐに遅延時間制御開始を指示する（ステップＴＣ４）。
【００３８】
指示を受けた放送装置ｐは、キャリアの位相を制御装置１４からの指示パターンあるいは予め決められたパターンで回転（周波数偏差にてキャリア周波数をずらす）させる（ＴＣ５）。一方、監視装置１３では、制御装置１４からの指示パターンあるいは予め決められたパターンで回転（周波数偏差にてキャリア周波数をずらす）するキャリアを生成し、このキャリアで同期検波することによりキャリア周波数の変動パターンを抽出し、この変動パターンを持つ受信信号について遅延プロファイルを求め、その遅延プロファイルから指定送信局の遅延時間を測定し（ステップＴＣ６）、その測定結果を制御装置１４へ通知する（ステップＴＣ７）。
【００３９】
制御装置１４では、放送装置の番号ｐが最大値Ｐとなったか否かを判定し（ステップＴＣ８）、最大値Ｐになるまで上記ステップＴＣ４〜ＴＣ７の処理を繰り返し実行する。続いて、制御装置１４では、監視装置の番号ｑが最大値Ｑとなったか否かを判定し（ステップＴＣ９）、最大値Ｑになるまで上記ステップＴＣ２〜ＴＣ８の処理を繰り返し実行する。以上の処理によって求められた遅延時間を対応する放送装置に通知し、遅延時間制御器２４を通じて遅延器２２の遅延時間を調整することで、各放送装置の出力信号をサービスエリアにおける空間波に一致させる（ステップＴＣ１０）。以上で一連の遅延時間制御処理が終了する。
【００４０】
続いて、図５に示すキャリア制御処理（ＣＣ）の処理手順を説明する。まず、監視装置１３の番号（ｑ）を初期化する（ｑ＝１）（ステップＴＣ１）。次に、初期化・インクリメントにおいて、監視装置１３にキャリア制御開始を指示する（ステップＣＣ２）。一方で、監視対象とする放送装置１２０〜１２Ｎの番号（ｐ）を初期化する（ｐ＝１）（ステップＣＣ３）。次に、初期化・インクリメントにおいて、放送装置ｐにキャリア制御開始を指示する（ステップＣＣ４）。
【００４１】
指示を受けた放送装置ｐは、キャリアの位相を指示パターンあるいは予め決められたパターンで回転（周波数偏差にてキャリア周波数をずらす）させる（ＣＣ５）。一方、監視装置１３では、制御装置１４からの指示パターンあるいは予め決められたパターンで回転（周波数偏差にてキャリア周波数をずらす）するキャリアを生成し、このキャリアで同期検波することによりキャリア周波数の変動パターンを抽出し、この変動パターンを持つ受信信号について遅延プロファイルを求め、この遅延プロファイルから信号レベル比を測定し（ステップＣＣ６）、その測定結果を制御装置１４へ通知する（ステップＣＣ７）。
【００４２】
制御装置１４では、放送装置の番号ｐが最大値Ｐとなったか否かを判定し（ステップＣＣ８）、最大値Ｐになるまで上記ステップＴＣ４〜ＴＣ７の処理を繰り返し実行する。続いて、制御装置１４では、監視装置の番号ｑが最大値Ｑとなったか否かを判定し（ステップＴＣ９）、最大値Ｑになるまで上記ステップＴＣ２〜ＴＣ８の処理を繰り返し実行する。以上の処理によって求められた信号レベル比を対応する放送装置に通知し、キャリア制御器２４を通じてＯＦＤＭ変調器２３のキャリアの信号レベルを調整する（ステップＣＣ１０）。以上で一連のキャリア制御処理が終了する。
【００４３】
以上の制御処理によって、サービスエリア内の受信電界が最適になるよう、各放送装置の出力信号レベルを調整する。ここで、「受信電界を最適にする」とは、各放送装置の出力信号が大きすぎると、受信地点においてガードインターバルを越えてマルチパスとなるため、ＳＦＮを構築できず、小さすぎると受信電界強度が不足して放送サービスを提供できなくなることを考慮し、受信エリアが最大になるようにすることをいう。
【００４４】
ところで、遅延時間制御部とキャリア制御部とで、同一の機能の部分は共用できる。上記制御装置１４は、行列（ｐ×ｑ）を埋めるよう、総当りで実施するため測定に時間がかかる。このため、検出成分が≒０の場合は、測定対象から外すことが望ましい。
【００４５】
以上のように、上記構成によるデジタル放送システムでは、各放送装置１２０〜１２Ｎのエリア内に監視装置１３を設け、監視装置１３において、放送装置１２０〜１２Ｎからの無線波を順次受信して受信状態を監視し、その送出元の放送装置に対する受信状態を制御装置１４に通知する。制御装置１４は、監視装置１３からの受信状態の通知を受けてその受信状態が適正となるように各送信装置１２０〜１２Ｎの無線波の出力電力、出力タイミングを制御する。
【００４６】
したがって、上記構成によるデジタル放送システムによれば、サービスエリア内に配置される各放送装置の出力の放送電波を最適化することができ、ＳＦＮによる放送網を構築することができる。
【００４７】
ところで、上記実施形態では、監視装置１３で得られた遅延時間、信号レベル比を制御装置１４に通知し、制御装置１４から該当する放送装置１２０〜１２Ｎに遅延時間、信号レベル比を通知するようにしたが、監視装置１３側で各放送装置１２０〜１２Ｎと連携を取り、送出元の放送装置に直接監視結果を通知するようにしてもよい。この場合、送出元の放送装置を受信信号から識別する必要がある。
【００４８】
そこで、監視装置１３が受信信号の送出元を識別するための手法として、以下の２方法が考えられる。第１の方法では、放送装置１２０〜１２Ｎにおいて、無線波のキャリア位相を互いに異なるパターンで変動させておき、監視装置１３側で、無線波の受信信号についてキャリア変動パターンの同期検波を行ってそのパターンから送出元を識別する。第２の方法では、放送装置１２０〜１２Ｎにおいて、無線波に互いに異なる識別標識を付加して送出し、監視装置１３側で、無線波の受信信号から識別標識を判別して送出元を識別する。これにより、制御装置１４による総括的な制御の緩和が図れる。
【００４９】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５０】
【図１】本発明に係るデジタル放送システムの一実施形態を示すブロック図。
【図２】図１に示すシステムの放送装置の具体的な構成を示すブロック図。
【図３】図１に示す監視装置の遅延時間監視部とキャリア監視部の構成を示すブロック図。
【図４】図１に示す制御装置の遅延時間制御処理の流れを示すフローチャート。
【図５】図１に示す制御装置のキャリア制御処理の流れを示すフローチャート。
【図６】図１に示す監視装置で測定される遅延プロファイルの調整前後の様子を示す図。
【符号の説明】
【００５１】
１１…スタジオ、ＮＥＴ…ネットワーク、１２０〜１２Ｎ…放送装置、１３…監視装置、１４…制御装置、２１…ＩＰ−ＴＳ変換器、２２…遅延器、２３…ＯＦＤＭ変調器、２４…遅延時間制御器、２５…キャリア制御器、Ａ０〜ＡＮ…送信アンテナ、ＴＷ…遅延時間監視部、ＣＷ…キャリア監視部、ＴＷ１…遅延プロファイル測定器、ＴＷ２…ＩＰ送出器、ＣＷ１…遅延プロファイル測定器、ＣＷ２…ＩＰ送出器。
【図１】
2008072527.tif 000003
【図２】
2008072527.tif 000004
【図３】
2008072527.tif 000005
【図４】
2008072527.tif 000006
【図５】
2008072527.tif 000007
【図６】
2008072527.tif 000008